(57)【特許請求の範囲】
【請求項１】
瓶の下部を当たって受け止める閉塞下端を有するインナースリーブと、該瓶を受け入れるための開口上端を有するアウタースリーブとを含む柔軟な管状のスリーブと、
前記開口上端が前記閉塞下端から引き離される場合、前記インナースリーブとアウタースリーブとの間で、前記柔軟な管状のスリーブの中央部により保持され、該中央部を前記瓶の隣接部に固定するゴムバンドであって、ポケットを画定するように、前記アウタースリーブが前記インナースリーブの上に重なる状態で、前記インナースリーブの閉塞下端に隣接して前記開口上端が折り返し可能とされる、ゴムバンドと、
前記瓶を温めるための前記ポケットに受け入れられる少なくとも一つの化学的熱源素子と、
を含む瓶用保温器。
【請求項２】
前記少なくとも一つの化学的熱源素子は、空気活性化熱源層からなる請求項１記載の瓶用保温器。
【請求項３】
前記少なくとも一つの化学的熱源素子は、前記瓶に巻き付ける細長い形状を有する単一の化学的熱源素子からなる請求項１記載の瓶用保温器。
【請求項４】
前記単一の化学的熱源素子は、前記単一の化学的熱源素子を前記インナースリーブの閉塞下端に隣接して接着剤で固定するための接着層をそれぞれ含む両端部を有する請求項３記載の瓶用保温器。
【請求項５】
前記単一の化学的熱源素子は、前記インナースリーブの閉塞下端に隣接して貼付する以前に前記接着層を保護するために取り外し可能な層を各接着層上にさらに含む請求項４記載の瓶用保温器。
【請求項６】
前記柔軟な管状のスリーブは、布生地からなる請求項１記載の瓶用保温器。
【請求項７】
前記布生地は、弾性布地を含む請求項６記載の瓶用保温器。
【請求項８】
前記布生地は、通気性布地である請求項６記載の瓶用保温器。
【請求項９】
前記布生地は、木綿およびスパンデックスを含む請求項６記載の瓶用保温器。
【請求項１０】
前記木綿は、前記布生地における８０％から９７％までの範囲内にあり、前記スパンデックスは、前記布生地における３％から２０％までの範囲内にある請求項９記載の瓶用保温器。
【請求項１１】
前記ゴムバンドは、前記インナースリーブの開口上端に隣接している請求項１記載の瓶用保温器。
【請求項１２】
瓶と、瓶用保温器とを含む装置であって、
該瓶用保温器は、
瓶の下部を当たって受け止める閉塞下端を有するインナースリーブと、該瓶を受け入れるための開口上端を有するアウタースリーブと、を前記アウタースリーブが前記インナースリーブの上に重なる状態で、含む柔軟な管状のスリーブと、
前記開口上端が前記閉塞下端から引き離される場合、前記インナースリーブとアウタースリーブとの間で、前記柔軟な管状のスリーブの中央部により保持され、該中央部を前記瓶の隣接部に固定するゴムバンドであって、前記アウタースリーブが前記インナースリーブの上に重なる状態で、ポケットを画定するように前記インナースリーブの閉塞下端に隣接して前記アウタースリーブの開口上端が折り返し可能とされる、ゴムバンドと、
前記瓶内の流動体を温めるための前記ポケットに受け入れられる少なくとも一つの化学的熱源素子と、を含む装置。
【請求項１３】
前記少なくとも一つの化学的熱源素子は、前記瓶に巻き付ける細長い形状を有する単一の空気活性化熱源層からなり、前記単一の化学的熱源素子は、前記単一の化学的熱源素子を前記インナースリーブの閉塞下端に隣接して接着剤で固定するための接着層をそれぞれ含む両端部を有する請求項１２記載の装置。
【請求項１４】
前記柔軟な管状のスリーブは、弾性布生地からなる請求項１２記載の装置。
【請求項１５】
前記柔軟な管状のスリーブは、通気性布地である請求項１４記載の装置。
【請求項１６】
閉塞下端を有するインナースリーブと、開口上端を有するアウタースリーブと、を前記アウタースリーブが前記インナースリーブの上に重なる状態で、含む柔軟な管状のスリーブと、前記開口上端が前記閉塞下端から引き離される場合、前記インナースリーブとアウタースリーブとの間で、該柔軟な管状のスリーブの中央部により、保持されるゴムバンドとを含む瓶用保温器を使って瓶内に収容される流動体を温める方法において、
前記ゴムバンドが前記柔軟な管状のスリーブの中央部を前記瓶の隣接部に固定した状態で、前記インナースリーブの閉塞下端が、該瓶の下部を受け入れるように該瓶を該アウタースリーブの開口上端を通じて挿入し、
前記アウタースリーブが前記瓶用保温器の第１の端部に向けて前記ゴムバンド近傍で折り返される場合、前記ゴムバンドから前記アウタースリーブの開口上端を引き離し、
少なくとも一つの化学的熱源素子を、前記瓶内の流動体を温めるために前記インナースリーブの閉塞端部に隣接して位置決めし、
前記アウタースリーブが前記インナースリーブの上に重なる状態で、前記アウタースリーブの前記開口上端が少なくとも一つの化学的熱源のためのポケットを画定するように前記インナースリーブの前記閉塞端部に隣接するように、前記アウタースリーブの開口上端を前記少なくとも一つの化学的熱源に折り重ねることを含む方法。
【請求項１７】
前記少なくとも一つの化学的熱源素子は、空気活性化熱源層からなる請求項１６記載の方法。
【請求項１８】
前記少なくとも一つの化学的熱源素子は、前記瓶に巻き付けるための細長い形を有した単一の化学的熱源素子である請求項１６記載の方法。
【請求項１９】
前記単一の化学的熱源素子は、該単一の化学的熱源素子を前記インナースリーブの閉塞下端に隣接して接着剤で固定するための接着層をそれぞれ含む両端を有する請求項１８記載の方法。
【請求項２０】
前記単一の化学的熱源素子は、さらに、前記インナースリーブの閉塞下端に隣接して貼付する以前に接着層を保護するために各接着層上に取外し可能な層をさらに含む請求項１９記載の方法。
【請求項２１】
前記柔軟の管状のスリーブは、弾性布地からなる請求項１６記載の方法。
【請求項２２】
前記弾性布地は、通気性布地からなる請求項２１記載の方法。
【請求項２３】
前記弾性布生地は、木綿およびスパンデックスを含む請求項２２記載の方法。
【請求項２４】
前記木綿は、前記布生地における８０％から９７％までの範囲内にあり、前記スパンデックスは、前記布生地における３％から２０％までの範囲内にある請求項２３記載の方法。
【発明の詳細な説明】
【技術分野】
【０００１】
本出願は、参照により本明細書の一部を構成する２００８年１０月２０日に出願した米国の仮出願第６１／１０６，７４７号の利益を請求する。本発明は、保温用ボトルホルダーに関し、詳細には、瓶内の流動体を温める保温用ボトルソックスに関する。
【背景技術】
【０００２】
瓶は、しばしば、後で用いる、あるいは、呑むために流動体を運ぶために使用される。流動体が瓶内に残存する間、しばしば、所望の温度あるいは所望の温度に近い温度で流動体を維持することが望ましく、あるいは、必要である。さらに、最初にある温度で流動体を保存し、それから、使用即ち呑む前にその流動体をより高い温度まで上昇させることが望ましい。例えば、瓶内に保存される乳児用ミルクまたは調合乳が、ピクニックのように出かけるとき、持って行かれる場合、細菌の形成および／または増殖を妨げるように瓶が
低温に保たれ、それから、乳児により呑まれる前に所望の温度に温められることが望ましい場合がある。
【０００３】
様々な装置が、少なくとも部分的にこの目的を達成するために提案されている。例えば、米国特許第１６６９０６１号（特許文献１）は、哺乳瓶のためのインシュレイティッドラップ（ｉｎｓｕｌａｔｅｄ  ｗｒａｐ）を開示している。しかしながら、そのようなラップは、受動的に温度変化に抵抗する機能にすぎない。一方、米国特許第３８０４０７６号（特許文献２）、米国特許第４８３８２４２号（特許文献３）、および、米国特許第６２３４１６５号（特許文献４）は、能動の加熱効果が保温用素子によりもたらされ得る装置を開示している。
【先行技術文献】
【特許文献】
【０００４】
【特許文献１】米国特許第１６６９０６１号明細書
【特許文献２】米国特許第３８０４０７６号明細書
【特許文献３】米国特許第４８３８２４２号明細書
【特許文献４】米国特許第６２３４１６５号明細書
【発明の概要】
【課題を解決するための手段】
【０００５】
しかしながら、これらの装置は、複雑な、しばしば、大きく扱いにくい構造を要し、ときどき、潜在的に有毒な、および／または、面倒な保温用素子を利用する。
【０００６】
上述の背景を考慮して、本発明の目的は、携帯型で、使用について比較的簡単明瞭でありながら、長期間、瓶内の流動体を有効に加熱可能な保温用ボトルソックスを提供することである。
【０００７】
本発明に従ってこの目的および他の目的、特徴、および利点は、瓶用保温器によりもたらされる。その瓶用保温器は、瓶の下部を当たって受け止める閉塞端部および瓶を受け入れるための開口端部を有する柔軟な管状のスリーブを含む。ゴムバンドは、柔軟な管状のスリーブの中央部により保持され、中央部を瓶の隣接部に固定し、ポケットを画定するように閉塞端部に隣接して開口端部が折り返し可能とされる。少なくとも一つの化学的熱源素子は、瓶を温めるためのポケットに受け入れられる。化学的熱源素子は、空気活性化熱源層からなり得る。
【０００８】
化学的熱源素子は、単一の化学的熱源素子または複数の化学的熱源素子からなり得る。
単一の化学的熱源素子に関しては、それは、瓶に巻き付ける細長い形状を有するものでもよい。複数の化学的熱源素子は、化学的熱源素子をインナースリーブに接着剤で固定するための接着層をそれぞれ含む両端部を有するものでもよい。さらに、複数の化学的熱源素子は、インナースリーブに貼付する以前に接着層を保護するために取り外し可能な層を各接着層上にさらに含み得る。複数の化学的熱源素子は、空気に曝される場合、選択的に活性化され得るものであり、所望の範囲までその瓶内の流動体を温める。その流動体は、例えば、調合乳または母乳であってもよい。その所望の範囲は、例えば、９０度から１０４度の範囲まででもよい。温められたならば、複数の化学的熱源素子は、約８時間の期間、流動体の温度を所望の範囲内に維持し得る。その結果、最初の瓶内の流動体が飲まれた後、保温用ソックス内に配される他の瓶を温めることができることが有利である。
【０００９】
柔軟な管状のスリーブは、布生地からなる。布生地は、弾性布地を含み、また、通気性布地を含む。例えば、布生地は、木綿およびスパンデックスを含む。その木綿は、布生地における８０％から９７％までの範囲内にあり、スパンデックスは、布生地における３％から２０％までの範囲内にあってもよい。
【００１０】
本発明の他の特徴は、瓶と、上述したような瓶用保温器とを含む装置について述べられる。
【００１１】
本発明のさらなる他の特徴は、上述したような柔軟な管状のスリーブを含む瓶用保温器を使って瓶内に収容される流動体を温めるための方法について述べられる。その方法は、
ゴムバンドが柔軟な管状のスリーブの中央部を瓶の隣接部に固定した状態で、柔軟な管状のスリーブの閉塞した下端が、瓶の下部を受け入れるように瓶を柔軟な管状のスリーブの開口上端を通じて挿入することを含む。さらに、その方法は、柔軟な管状のスリーブの閉塞端部を露出させるようにゴムバンドから柔軟な管状のスリーブの開口上端を引き離し、
少なくとも一つの化学的熱源素子を、瓶内の流動体を温めるために柔軟な管状のスリーブの閉塞端部に隣接して位置決めすることを含む。それから、その柔軟な管状のスリーブの開口上端は、開口上端が閉塞端部に隣接し少なくとも一つの化学的熱源のためのポケットを画定するように、少なくとも一つの化学的熱源に折り重ねられ得る。
【図面の簡単な説明】
【００１２】
【図１】本発明に従う瓶および保温用ボトルソックスの斜視図である。
【図２】図１の２−２線に沿った瓶および保温用ボトルソックスの側面の断面図である。
【図３】図１に示される保温用ボトルソックスとともに使用される熱素子の模式図である。
【図４】図１に示される瓶および保温用ボトルソックスの使用における様々な段階の模式図である。
【図５】図１に示される瓶および保温用ボトルソックスの使用における様々な段階の模式図である。
【図６】図１に示される瓶および保温用ボトルソックスの使用における様々な段階の模式図である。
【図７】本発明の代替的な実施例に従う保温用ボトルソックスの斜視図である。
【図８】本発明の他の代替的な実施例に従う瓶および保温用ボトルソックスの使用における様々な段階の模式図である。
【図９】本発明の他の代替的な実施例に従う瓶および保温用ボトルソックスの使用における様々な段階の模式図である。
【図１０】本発明の他の代替的な実施例に従う瓶および保温用ボトルソックスの使用における様々な段階の模式図である。
【図１１】図１に示される保温用ボトルソックスを使って瓶内に収容される液体を加熱する方法を示す流れ図である。
【発明を実施するための形態】
【００１３】
本発明は、本発明の好ましい実施例が示される添付図面を参照し、ここで以下に詳細に説明される。しかしながら、この発明は、多くの異なる形態で具体化され得るものであり、ここに示した実施例に限定されるように解釈されるべきではない。むしろ、これらの実施例は、この開示が綿密で申し分の無いものであり、当業者にとって本発明の範囲を十分に伝達するようにもたらされる。同一の数字は、全体にわたり、同一の要素を指し、プライム符号およびダブルプライム符号は、代替的な実施例において同様な要素を示すために使用される。
【００１４】
図１および図２を参照するに、瓶１０は、保温用ボトルソックス１２により保持されている。また、保温用ボトルソックス１２は、瓶用保温器（ボトルウォーマー）とも呼称されてもよい。保温用ボトルソックス１２は、第１の端部１４と第２の端部１６との間に広がっており、インナースリーブ２０とアウタースリーブ２２とを含む。インナースリーブ２０およびアウタースリーブ２２は、双方とも保温用ボトルソックス１２の第１の端部に隣接したゴムバンド、即ち、カラー３０に接続されている。保温用素子３２は、インナースリーブ２０とアウタースリーブ２２との間であって瓶１０の回りに収容され、保温器として機能する。
【００１５】
瓶１０は、開口端部４２を有する本体４０を有する。その本体は、少なくとも部分的に流動体４４で満たされる。流動体４４は、例えば、調合ミルクまたは母乳、あるいは、加熱温度が維持されるように要求される他の種類の液体である。開口端部４２は、流動体４４が選択的に小出しされる乳首により覆われている。キャップ４８は、本体４０の開口端部４２に乳首４６を固定する。
【００１６】
インナースリーブ２０は、保温用ボトルソックス１２の第１の端部１４に隣接して開口し、瓶１０の本体４０が収容可能とされる。インナースリーブ２０は、保温用ボトルソックス１２の第２の端部１６に隣接して閉塞され、本体４０の挿入について下限値を設定する。アウタースリーブ２２は、インナースリーブ２０にゴムバンド３０において接続され、アウタースリーブ２２がゴムバンド３０の回りに折り畳み可能とされ、インナースリーブ２０から離隔している。
【００１７】
上述したように、保温用素子３２は、瓶１０内の流動体４４を暖める熱運動をもたらすことができる熱媒体から作られる。図３に示されるように、保温用素子３２は、化学的な熱源素子であり、空気活性化熱源層３３からなる。空気活性化熱源層３３は、使用者が瓶１０内の流動体４４を加熱するためのポケットに配される素子を沸騰または電子レンジで加熱せざる得ない状態を避ける。使用前、保温用素子３２は、当業者により容易に理解されるように気密包装で保存されている。
【００１８】
必要なとき、保温用素子３２は、気密包装から簡単に取り出され、空気に曝され、それから、瓶１０内の流動体４４を所望の範囲内まで徐々に加熱する。示される実施例においては、保温用素子３２は、保温素子３２をインナースリーブ２０に接着剤で固定するための接着剤層３７をそれぞれ、含んでなる対向する端部を有している。保温用素子３２は、インナースリーブに貼付する以前に接着剤層を保護するために各接着剤層３７に取り外し可能な層をさらに含む。
【００１９】
図示されていないが、保温用素子３２は、インナースリーブ２０上を滑る保温用素子スリーブのように構成されてもよい。その保温用素子スリーブは、弾性布地からなる。保温用素子３２をインナースリーブ２０に固定するために接着剤を使用する代わりに、その弾性布地が、保温用素子スリーブを所定位置に保持する。この実施例において、その保温用素子スリーブが、１個以上の空気活性化熱源層３３を含んでも良い。
【００２０】
流動体４４が加熱される所望の範囲は、代表的に、例えば、９０度から１４０度までの範囲である。その実際の温度は、保温用素子３２の大きさ、保温用ボトルソックス１２を作る布地の種類のような、いくつかの要因次第で変化するだろう。
【００２１】
加熱されたならば、保温用素子３２は、流動体４４の温度を所望の範囲内で代表的に８時間という、長期間維持する。これは、最初の瓶１０内の流動体が飲まれた後、保温用ボトルソックス１２内に配される他の瓶を暖めさせるのに有利である。ジョージア州、ダルトンにあるＭｅｄｉｈｅａｔ社により販売される空気活性化ヒートパッドが、加温器としての使用に適している。また、ヒートパッドの他の種類も、当業者により容易に理解されるように、許容できる。図４乃至図６を参照するに、操作中、瓶１０が保温用ソックス１２内に挿入される。本体４０の少なくとも一部が第２の端部１６まで延在し、インナースリーブ２０を埋め、インナースリーブ２０およびアウタースリーブ２２が本体４０を収容するように拡張する。インナースリーブ２０およびアウタースリーブ２２、ならびに、ゴムバンド３０の拡張に起因して作用される圧力は、瓶１０に対し保温用ボトルソックス１２を保持する。
【００２２】
アウタースリーブ２２は、折り曲げられ、インナースリーブ２０から実質的に離隔し、インナースリーブ２０のより大きな面積をさらす。それから、保温用素子３２は、インナースリーブ２０の露出部の回りに配され、本体４０の一部を取り囲む。それから、アウタースリーブ２２は、インナースリーブ２０上に重なるように折り返され、さらに、拡張し保温用素子３２を覆う。拡張されたインナースリーブ２０およびアウタースリーブ２２相互間の圧力は、保温用素子３２が瓶１０の本体４０内の流動体４４を暖めるように保温用素子３２を所定位置に保持する。その後の瓶１０または保温用素子３２の交換は、その適切な手順を繰り返すことにより達成される。
【００２３】
保温用ボトルソックス１２を説明する他の方法は、反対に瓶１０の下部を受け入れるための閉塞した下端１６を有する柔軟な管状スリーブ２０および瓶１０を受け入れる開口上端２３を有する柔軟な管状スリーブ２２としてである。ゴムバンド３０は、柔軟な管状スリーブ２０の中央部により、その中央部を瓶１０の隣接部に固定するように保持される。その開口上端２３が、ポケットを画定するように閉塞した下端１６に隣接して折り返し可能とされる。保温用素子３２は、瓶１０内の流動体を温めるためのそのポケットにより収容される。
【００２４】
柔軟な管状のスリーブ２０およびスリーブ２２は、布生地からなる。一つの実施例において、その布生地は、木綿およびスパンデックスを含む。そのスパンデックスは、木綿を引き伸ばし、しかし、熱がそのポケットから逃げることができるように、過剰に引き伸ばさせない弾性のある合成繊維である。その木綿は、布生地の８０％から９７％までの範囲内であり、スパンデックスは、布生地の３％から２０％までの範囲内である。ゴムバンド３０の静止直径は、瓶１０の本体４０の直径における約２０％から４０％までの範囲内である。これが、柔軟な管状のスリーブ２０および２２が瓶１０上における所定位置にとどまることを確実にする。
【００２５】
上述の説明から、示される保温用ボトルソックス１２が完全に折り畳め、使用しない場合、容易に保管されることは分かるだろう。また、保温用ボトルソックス１２は、瓶１０および保温用素子３２双方における手早く、簡単な挿入、取り外し、交換を可能としながら、長期間、所望の温度で瓶１０における活性維持を可能とする。
【００２６】
加えて、保温用ボトルソックス１２は、瓶における種類、大きさ、特有な設計に限定されない。この中で使用される「瓶」という用語は、特に限定されていなければ、流動体の携帯用貯蔵のために使用されるいずれの容器も含むものであると了解されるべきである。
【００２７】
当業者は、インナースリーブ２０、および、アウタースリーブ２２のような保温用ボトルソックス１２の様々な要素は、その中に収容されるボトルの寸法に基づく適切な寸法にする必要があることは理解するだろう。
【００２８】
また、インナースリーブ２０およびアウタースリーブ２２は、如何なる適切な物質でも作製可能である。木綿およびポリエステルは、一例としての物質であり、双方とも容易く入手できる織物において十分な伸展性があり、比較的廉価であり、使って作業し易いと考えられる。インナースリーブ２０およびアウタースリーブ２２は、同一の物質または異なる物質で作製可能とされる。インナースリーブ２０は、保温用素子によりもたらされる熱運動が容易く瓶１０に伝達されるように、熱伝導性物質で作られ、および／または、少なくとも保温用素子３２により覆われるべき部分において十分に薄く作製し得る。また、アウタースリーブ２２は、熱絶縁物質で作製され得るものであり、および／または、保温用素子３２によりもたらされる熱運動が取巻く環境への伝達をさせないように十分に厚いものであり得る。
【００２９】
また、インナースリーブ２０またはアウタースリーブ２２は、エラスタインのような高弾性物質、または、リップストップナイロンのような比較的廉価な物質で作製され得る。
当業者は、他の設計変更がなされ得る、即ち、そのような物質の選択が違ってもよいということは分かるだろう。例えば、もし、インナースリーブ２０のために使用される物質の弾性が、インナースリーブ２０がしっかりと瓶１０を保持することを確実にするように、十分に高いならば、例えば、ゴムバンド３０が省かれ得る。もし、比較的堅い物質が、アウタースリーブ２２について使用されるならば、他のゴムバンド、または、スナップ、ファスナーなどは、保温用素子３２がアウタースリーブ２２により、所定位置に確実に固定保持されるように第２の端部１６に隣接したアウタースリーブ２２に対し付加可能とされる。
【００３０】
保温用ボトルソックス１２の第１の端部１４に隣接したインナースリーブおよびアウタースリーブの連結は、インナースリーブ２０を瓶１０の回りに保持しながら、アウタースリーブ２２の上方への折り返しを簡単にするには優れていることがわかるけれど、インナースリーブ２０およびアウタースリーブ２２が、第２の端部１６に隣接するように、他の位置で連結されてもよく、互いに一体に作られ、それとも、別個にされてもよい。
【００３１】
図７を参照するに、保温用ボトルソックス１２´の代替的な実施例が、これから述べられる。瓶４０´は、インナースリーブ２０´を含む保温用ボトルソックス１２´により保持される。第１のタブ３４´および第２のタブ３６´を両端部に有する保温用素子３２´は、インナースリーブ２０´の回りに巻き付けられる。第１のタブ３４´は、インナースリーブ２０´内に形成されるスリット５０´内に収容され、それにより、インナースリーブ２０´および瓶４０´の回りの保温用素子３２´の適切な位置決めを容易にする。
【００３２】
図８乃至図１０を参照するに、ボトルソックス１２´´の操作および保温用素子３２´´の挿入が、第１の端部１４´´ではなく、第２の端部１６´´に連結されるインナースリーブ２０´´およびアウタースリーブ２２´´における実施例について述べられる。図８に示されるように、瓶４０が、ボトルソックス１２´´の第１の端部１４´´内に挿入される。インナースリーブ２０´´およびアウタースリーブ２２´´は、互いに隣接している。
【００３３】
瓶４０が挿入された後、アウタースリーブ２２´´は、図９によく示されるように、引き下ろされる。保温用素子３２´´は、インナースリーブ２０´´の回りに位置決めされる。保温用素子３２´´が位置決めされた後、アウタースリーブ２２´´がボトルソックス１２´´の第１の端部１４´´に向けて上方へ引き戻される。示されるように、アウタースリーブ２２´´およびインナースリーブ２０´´は、ボトルソックス１２´´の第２の端部１６´´で一緒に取付けられる。その取付けは、ボトルソックス１２´´の第２の端部１６´´が２重層を形成するようにあり得る。代替的に、アウタースリーブ２２´´は、そのボトルソックスの第２の端部が単層を形成するようにボトルソックス１２´´の第２の端部１６´´で取付けられてもよい。
【００３４】
保温用素子３２は、示される一体型の代わりに、多数の部品であってもよい。多数のスリット、即ち、複数のポケットが、そのような複数の部品を収容するようにインナースリーブ２０内またはインナースリーブ２０上に形成され得る。マジックテープ（登録商標）または取外し可能な接着剤（ｒｅｌｅａｓａｂｌｅ  ａｄｈｅｓｉｖｅ）のような他の手段が、保温用素子３２をインナースリーブ２０に固定するために使用されてもよい。さらに、暖めまたは冷やすための他の保温用素子は、当業者に知られており、また、メディヒート（Ｍｅｄｉｈｅａｔ）社により供給される保温素子に加えて、本発明に関連して使用するために適している。
【００３５】
本発明の他の特徴が、上述のように、保温用ボトルソックス１２を使って瓶１０内に収容される流動体を加熱する方法について述べられる。図１１における流れ図８０を参照するに、その方法は、スタート（ブロック８２）から、ブロック８４において、柔軟な管状のスリーブ２０の閉塞した下端１６が、その瓶の下部を受け入れるように瓶１０を柔軟な管状のスリーブ２０の開口上端を通じて挿入することを含む。ゴムバンド３０は、柔軟な管状のスリーブ２０の中央部を瓶１０の隣接部に固定する。ブロック８６において、柔軟な管状のスリーブ２０の閉塞した下端１６を露出させるように柔軟な管状のスリーブ２２の開口上端２３が、ゴムバンド３０から引き離される。
【００３６】
さらに、その方法は、ブロック８８において、瓶１０内の流動体を温めるために少なくとも一つの化学的な熱源素子３２を柔軟な管状のスリーブ２０の閉塞した下端１６に隣接して位置決めすることを含む。ブロック９０において、柔軟な管状のスリーブ２２の開口上端２３が柔軟な管状のスリーブ２０の閉塞した下端に隣接し、少なくとも一つの化学的な熱源素子のためのポケットを画定するように、柔軟な管状のスリーブ２２の開口上端２３が、少なくとも一つの化学的な熱源素子３２に折り重ねられる。ブロック９２において、その方法は、終了する。
【００３７】
本発明における多くの変更および他の実施例は、当業者によって浮かび、上述の説明および関連した図面にある示唆の利益を有する。従って、本発明は、その開示されたある決まった実施例に限定されることなく、その変更および実施例が、添付した請求の範囲内に含まれることを意図していることを理解されるべきである。
【図１】
0005591813.tif 000002
【図２】
0005591813.tif 000003
【図３】
0005591813.tif 000004
【図４】
0005591813.tif 000005
【図５】
0005591813.tif 000006
【図６】
0005591813.tif 000007
【図７】
0005591813.tif 000008
【図８】
0005591813.tif 000009
【図９】
0005591813.tif 000010
【図１０】
0005591813.tif 000011
【図１１】
0005591813.tif 000012